(57)【要約】    【課題】ヒールサンダルにおいてつま先方向に前滑りするのを防止する。    【解決手段】表裏の合成樹脂シート（４，５）の周縁をシールして袋状に形成した空間に液体（７）を封入してなる履物用の滑り防止具である。表側合成樹脂シート（４）の表面には滑り止め加工を施すと共に、裏側合成樹脂シート（５）には剥離可能な粘着剤（６）を塗布して着脱自在である。滑り止め加工としては、ポリウレタン樹脂シートにシリコン粒子を吹き付けて加熱する方法やシリコン粒子とポリウレタン粒子を練り込み加熱成型する方法がある。取り付けやすいように、滑り防止具の裏側には予め粘着剤を塗布してその上を離型紙（８）で覆っておくことが好ましい。封入液体（７）は例えばグリセリンである。【選択図】図１
2005143938.tif 000002
【特許請求の範囲】
【請求項１】
表裏の合成樹脂シート（４，５）の周縁をシールして袋状に形成した空間に液体（７）を封入してなるものであって、表側合成樹脂シート（４）の表面には滑り止め加工を施すと共に、裏側合成樹脂シート（５）には粘着剤（６）を塗布して着脱自在であることを特徴とする履物用の滑り防止具。
【請求項２】
表側合成樹脂シート（４）表面の滑り止め加工が、ポリウレタン樹脂シートにシリコン粒子を吹き付けて加熱したものである請求項１記載の滑り防止具。
【請求項３】
表側合成樹脂シート（４）表面の滑り止め加工が、シリコン粒子とポリウレタン粒子を練り込み加熱成形したものである請求項１記載の滑り防止具。
【請求項４】
粘着剤（６）を塗布した裏側合成樹脂シート（５）を離型紙（８）で覆った請求項１ないし３のいずれかに記載の滑り防止具。
【請求項５】
封入液体（７）がグリセリンである請求項１ないし４のいずれかに記載の滑り防止具。
【請求項６】
大きさが、足裏の前半部に十分接触するものである請求項１ないし５のいずれかに記載の滑り防止具。
【請求項７】
表面に抗菌加工を施した請求項１ないし５のいずれかに記載の滑り防止具。
【請求項８】
請求項１ないし７のいずれかに記載の滑り防止具をインソール（３）先端部に着脱自在に取り付けたことを特徴とする履物。
【請求項９】
履物がヒールサンダル（１）である請求項８記載の履物。
【発明の詳細な説明】
【技術分野】
【０００１】
本発明は、履物用の滑り防止具及びこれを有する履物に関する。本発明の滑り防止具は、かかとの高い女性用ハイヒール型サンダルやミュール（本明細書では、「ヒールサンダル」と総称する）に最も適しているが、そのクッション性を活かしてかかとの低い履物にも適用可能である。
【背景技術】
【０００２】
履物の中敷きにクッション性を与えるための考案として下記特許文献１〜４に記載するような発明・考案がある。いずれも、靴中敷きの形状にした柔軟なシートによって密封平袋を形成し、この平袋の中に液体を封入してなる中敷きである。封入する液体は、水又は液体グリセリンである。
【特許文献１】特開平５−３０９００３号公報
【特許文献２】特開平８−２４００６号公報
【特許文献３】特開平９−３７８０７号公報
【特許文献４】実用新案登録第３００７７２０号公報
【発明の開示】
【発明が解決しようとする課題】
【０００３】
上記発明・考案では、クッション性、履き心地、足裏刺激などの効能を述べている。ここには、ヒールサンダルを履き続けることによる弊害を防止するという観点は見られない。
【０００４】
ヒールサンダルを履き続けると、体の重心が前方に移動し、足がつま先の方向へ向かって滑りやすくなる。それをインソール上のストラップが強制的に阻止するので、ハイヒールと同様に足に負担がかかり、歩行が不安定となるばかりでなく、疲れやすくなる。さらに、靴擦れやたこができやすくなり、最悪の場合、外反母趾等の足指の変形が起こる。
【０００５】
本発明は、クッション性、履き心地、足裏刺激などの効能を有するだけでなく、さらにヒールサンダルにおける滑り防止の効能を有する滑り防止具を提供することを目的とする。
【課題を解決するための手段】
【０００６】
本発明の履物用の滑り防止具は、表裏の合成樹脂シートの周縁をシールして袋状に形成した空間に液体を封入してなるものであって、表側合成樹脂シートの表面には滑り止め加工を施すと共に、裏側合成樹脂シートには粘着剤を塗布して着脱自在であることを特徴とする。
【０００７】
また、本発明の履物は、そのような滑り防止具をインソール先端部に着脱自在に取り付けたことを特徴とする。
【発明の効果】
【０００８】
上記したように、本発明でも前記従来技術（特許文献１〜４）と同様、柔軟なシートによって形成された密封液体収容袋を使用する。そのため、中身液がクッション作用をもたらし、足にかかる負担を和らげて疲れにくくする共に足裏を適度に刺激しマッサージ効果をもたらす。
【０００９】
しかしまた前記従来技術とは異なり、本発明の滑り防止具は表面に滑り防止加工を施しているので、ヒールサンダルを履いても、足がつま先の方向へ向かって前滑りしにくくなる。その結果、足の位置が安定するので、歩行姿勢が安定し、足の変形などを防止することができる。
【００１０】
さらにまた前記従来技術とは異なり、本発明の滑り防止具は、中敷きの形状ではなく、インソールの先端部に取付け・取外し自在に取り付けるので、設定位置について微妙な調節が可能である。また、取り外して繰り返し洗うことができるのでいつも清潔に保つことができる。
【発明を実施するための最良の形態】
【００１１】
合成樹脂シートとしては、再剥離可能な粘着剤を塗布した裏側はウレタン樹脂シートが好ましく、表面側はポリウレタン樹脂シートが好ましい。
【００１２】
表面側シートには滑り止め加工を施す。滑り止め加工としては、ポリウレタン樹脂シートにシリコン粒子を吹き付けて加熱する方法やシリコン粒子とポリウレタン粒子を練り込み加熱成型する方法がある。後者の方法においては、ポリウレタン粒子をシリコン粒子よりも小さくしておくことが好ましい。
【００１３】
表裏シートは、外枠周辺でシールして密閉空間を形成する。シールの方法としてはウェルダー加工によるヒートシールが好ましい。この密封空間に液体が封入される。液体としては、粘性があり、無害なグリセリンが好ましいが、水でもよい。安全性が確保されればそれ以外の液体でもよい。
【００１４】
滑り防止具の形状や大きさは足裏の前半部（「足の触球」と呼ばれる部分である）に十分接触するものであれば足りる。接触面積としては縦横１５〜１００ｃｍ2程度が好ましい。液体封入後の盛り上がり高さは、最高位置で２〜５ｍｍ程度で十分である。
【００１５】
滑り防止具には抗菌加工を施すのが好ましい。抗菌加工としては、従来公知の抗菌剤（例えば、各種有機シリコーン系第４級アンモニウム塩、アルキルリン酸エステルの第４級アンモニウム塩、抗菌性金属イオンを有する無機系抗菌剤等）を、前記シートに、含浸、塗布、散布などの方法で付加させればよい。
【００１６】
ヒートサンダルに取り付けやすいように、滑り防止具の裏側には予め粘着剤を塗布してその上を離型紙で覆っておくことが好ましい。そうすることにより、必要なときに離型紙をはがしてインソールに取り付けることができる。ヒールサンダルの市販状態において、予め滑り防止具を取り付けておいてもよく、その場合は離型紙は不要である。
【実施例１】
【００１７】
以下、添付の図面に基づいて、本発明の実施例を説明する。
【００１８】
図１は、本発明の１実施例に係る滑り防止具２を取り付けたヒールサンダル１の斜視図である。図２は、図１における１−１断面図である。図３は、図１における２−２断面図である。図４は表面シートをめくって一部露出させた滑り防止具の斜視図である。
【００１９】
図１〜３に示すように、滑り防止具２はインソール３の先端部に取り付ける。具体的には、足裏の前半部である。
【００２０】
滑り防止具２は、図２〜４に示すように、表裏の合成樹脂シート４，５で構成されている。再剥離可能な粘着剤６を塗布した裏側はウレタン樹脂シートであり、表面側はポリウレタン樹脂シートである。
【００２１】
表面側シートには滑り止め加工及び抗菌加工が施されている。滑り止め加工としては、ポリウレタン樹脂シートにシリコン粒子を吹き付けて加熱する方法を使用した。抗菌加工としては、抗菌性金属イオンを有する無機系抗菌剤を前記シートに含浸させる方法を使用した。表裏シート４，５は、外枠周辺でウェルダー加工によりヒートシールして密閉空間を形成した。滑り防止具の形状は、直径約７ｃｍのやや変形させた円形である。
【００２２】
この密封空間に液体７を封入した。液体としては、グリセリンを使用した。封入後の滑り防止具の最大盛り上がり高さは３ｍｍ程度である。
【００２３】
ヒールサンダルと滑り防止具を別売りするときには、滑り防止具２の裏側には予め粘着剤６を塗布してその上を離型紙８で覆っておく。
【図面の簡単な説明】
【００２４】
【図１】本発明の１実施例に係る滑り防止具を取り付けたヒールサンダルの斜視図である。
【図２】図１における１−１断面図である。
【図３】図１における２−２断面図である。
【図４】表面シートをめくって一部露出させた滑り防止具の斜視図である。
【符号の説明】
【００２５】
１     ヒールサンダル
２     滑り防止具
３     インソール
４，５ 合成樹脂シート
６     粘着剤
７     液体
８     離型紙
【図１】
2005143938.tif 000003
【図２】
2005143938.tif 000004
【図３】
2005143938.tif 000005
【図４】
2005143938.tif 000006